(57)【要約】【課題】貯湯タンクからの湯漏れを判定して安全性を高める事が可能な貯湯式給湯システムを提供する事を目的とする。【解決手段】湯を貯湯するタンク１と、タンク１内に設置されるとともに浴槽１２と配管１３、１４を介して接続され、浴槽１２内の湯を循環させて、浴槽１２内の湯と、タンク１内の湯との間で熱交換する追い焚き用の熱交換器２と、タンク１より浴槽１２への給湯を制御する制御装置７とを備える貯湯式給湯システム１００であって、タンク１内および配管１３、１４内の少なくとも１カ所の湯の温度を検知する検知手段を備え、制御装置７は、検知手段が検知した温度情報に基づいて、タンク１からの湯漏れを判定する事により、タンク１の外郭などからタンク１内の高温湯が漏れた事を判定するので、速やかに対応可能となり、安全性を高める事が可能となる。【選択図】図１
2004308926.tif 000002
【特許請求の範囲】
【請求項１】
湯を貯湯するタンクと、
前記タンク内に設置されるとともに浴槽と配管を介して接続され、前記浴槽内の湯を循環させて、前記浴槽内の湯と、前記タンク内の湯との間で熱交換する追い焚き用の熱交換器と、
前記タンクより前記浴槽への給湯を制御する制御手段とを備える貯湯式給湯システムであって、
前記タンク内および前記配管内の少なくとも１カ所の湯の温度を検知する検知手段を備え、
前記制御手段は、前記検知手段が検知した温度情報に基づいて、前記タンクからの湯漏れを判定する事を特徴とする貯湯式給湯システム。
【請求項２】
前記検知手段は、前記タンク内の湯の温度を検知するタンク内温度検知手段を有し、
前記制御手段は、前記タンク内温度検知手段が検知した前記タンク内の湯の温度により計算されるタンク内貯湯熱量の変化量と、第一の所定の熱量とを比較する第一の比較手段とを備え、
前記第一の比較手段が、前記タンク内の湯の温度により計算されるタンク内貯湯熱量の変化量が前記所定の熱量よりも大きいと判定した場合、前記制御手段は、前記タンクからの前記湯漏れありと判定する事を特徴とする請求項１に記載の貯湯式給湯システム。
【請求項３】
前記検知手段は、前記熱交換器を循環して、前記浴槽へ再給湯される湯の温度を検知する追い焚き湯温度検知手段を有し、
前記制御手段は、前記追い焚き湯温度検知手段が検知した追い焚き湯の温度と、第二の所定の温度と比較する第二の比較手段を備え、
前記第二の比較手段が、前記追い焚き湯の温度が前記所定の第二の温度よりも高いと判定した場合、前記制御手段は、前記タンクから前記熱交換器への前記湯漏れありと判定する事を特徴とする請求項１または２に記載の貯湯式給湯システム。
【請求項４】
前記検知手段は、前記浴槽から前記熱交換器へ送られる浴槽湯温度を検知する浴槽湯温度検知手段と、
前記熱交換器を循環して前記浴槽へ再給湯される追い焚き湯温度を検知する追い焚き湯温度検知手段とを有し、
前記制御手段は、前記浴槽湯温度と、前記追い焚き湯温度との温度差を演算する温度差演算手段と、前記温度差演算手段が演算した前記温度差と、第三の所定の温度とを比較する第三の比較手段とを備え、
前記第三の比較手段が、前記温度差は前記第三の所定の温度よりも高い温度であると判定した場合、前記制御手段は、前記タンクから前記熱交換器への前記湯漏れありと判定する事を特徴とする請求項１または２に記載の貯湯式給湯システム。
【請求項５】
前記熱交換器から前記浴槽へ再給湯する前記配管に対し、前記湯を排水する排水弁を設け、
前記制御手段は、前記湯漏れありと判定した場合、前記排水弁を開放して排水する事を特徴とする請求項３乃至４に記載の貯湯式給湯システム。
【請求項６】
報知手段を備え、
前記制御手段は、前記湯漏れありと判定した場合、前記報知手段からその旨を音声にて報知する事を特徴とする請求項１乃至５に記載の貯湯式給湯システム。
【発明の詳細な説明】
【０００１】
【発明の属する技術分野】
本発明は、タンク内に貯めた湯を浴槽に給湯する貯湯式給湯システムに関する。
【０００２】
【従来の技術】
従来から、タンク内に貯めた湯を浴槽に給湯する貯湯式給湯システムにおいて、タンク内の高温の湯が浴槽に直接漏れる事を防止する技術としては、例えば特許文献１に記載されるように、浴槽用の給湯口に配置した温度センサによって、浴槽に給湯される湯の温度を測定し、所定の温度よりも高かった場合は、給湯弁を自動的に閉めると言うものがある。
【０００３】
【特許文献１】
特開２００１−１７４０５３号公報
【０００４】
【発明が解決しようとする課題】
しかし、上述した貯湯式給湯システムでは、温度センサが給湯口の手前に備えられているので、例えばタンクの外郭の破損などからタンク内の湯がタンクの外部に漏れても、その事は検知出来ない。通常タンクは給湯システムの中に設置されているので、給湯システムが高温の湯に浸ると、補修に手間がかかる。
【０００５】
本発明は、上記の点を鑑みてなされたものである。すなわち貯湯タンクからの湯漏れを速やかに判定して安全性を高める事が可能な貯湯式給湯システムを提供する事を目的とする。
【０００６】
【課題を解決するための手段】
請求項１に記載の貯湯式給湯システムは、湯を貯湯するタンクと、前記タンク内に設置されるとともに浴槽と配管を介して接続され、前記浴槽内の湯を循環させて、前記浴槽内の湯と、前記タンク内の湯との間で熱交換する追い焚き用の熱交換器と、前記タンクより前記浴槽への給湯を制御する制御手段とを備える貯湯式給湯システムであって、前記タンク内および前記配管内の少なくとも１カ所の湯の温度を検知する検知手段を備え、前記制御手段は、前記検知手段が検知した温度情報に基づいて、前記タンクからの湯漏れを判定する事を特徴とする。
【０００７】
この発明により、タンクの外郭などからタンク内の高温湯が漏れた事を速やかに判定して、対応可能となり、安全性を高める事が可能となる。
【０００８】
請求項２に記載の貯湯式給湯システムは、前記検知手段は、前記タンク内の湯の温度を検知するタンク内温度検知手段を有し、前記制御手段は、前記タンク内温度検知手段が検知した前記タンク内の湯の温度により計算されるタンク内貯湯熱量の変化量と、第一の所定の熱量とを比較する第一の比較手段とを備え、前記第一の比較手段が、前記タンク内の湯の温度により計算されるタンク内貯湯熱量の変化量が前記所定の熱量よりも大きいと判定した場合、前記制御手段は、前記タンクからの前記湯漏れありと判定する事を特徴とする。
【０００９】
通常、タンクは常に圧力がかけられ満水状態であり、その満水状態の中でも、高温湯はタンクの上部に、冷水は下部に、両者、温度境界層を形成して貯湯されている。
【００１０】
この発明により、タンク内の湯の温度により計算されるタンク内貯湯熱量の変化量が、所定の熱量よりも大きい場合は、高温湯が通常時に貯湯されている部位、すなわちタンクの上部付近から漏れている可能性があると判定するので、その漏水に対し速やかに対応可能となり、安全性を高める事が可能となる。
【００１１】
請求項３に記載の貯湯式給湯システムは、前記検知手段は、前記熱交換器を循環して、前記浴槽へ再給湯される湯の温度を検知する追い焚き湯温度検知手段を有し、前記制御手段は、前記追い焚き湯温度検知手段が検知した追い焚き湯の温度と、第二の所定の温度と比較する第二の比較手段を備え、前記第二の比較手段が、前記追い焚き湯の温度が前記第二の所定の温度よりも高いと判定した場合、前記制御手段は、前記タンクから前記熱交換器への前記湯漏れありと判定する事を特徴とする。
【００１２】
この発明により、熱交換器と浴槽とを接続する配管の中の湯において、所定の追い焚き温度以上の温度が検知された場合は、タンク内の高温湯が熱交換器を介して直接浴槽に漏水（流入）したと判定するので、その漏水（流入）に対して速やかに対応、例えばもし漏水（流入）した高温湯が既に浴槽に貯まっていたのなら、速やかに排水する、などが可能となり、安全性を高める事が可能となる。
【００１３】
請求項４に記載の貯湯式給湯システムは、前記検知手段は、前記浴槽から前記熱交換器へ送られる浴槽湯温度を検知する浴槽湯温度検知手段と、前記熱交換器を循環して前記浴槽へ再給湯される追い焚き湯温度を検知する追い焚き湯温度検知手段とを有し、前記制御手段は、前記浴槽湯温度と、前記追い焚き湯温度との温度差を演算する温度差演算手段と、前記温度差演算手段が演算した前記温度差と、第三の所定の温度とを比較する第三の比較手段とを備え、前記第三の比較手段が、前記温度差は前記第三の所定の温度よりも高い温度であると判定した場合、前記制御手段は、前記タンクから前記熱交換器への前記湯漏れありと判定する事を特徴とする。
【００１４】
この発明により、浴槽湯温度と追い焚き湯温度との温度差を所定の温度、すなわち熱交換器が熱交換（加熱）出来る最大の温度と比較するので、もし前述の温度差が熱交換器が熱交換（加熱）出来る最大の温度以上の温度であったならば、熱交換器から高温湯が漏水（流入）していると判定するので、僅かな漏水（流入）の検知も可能となり、安全性をより高める事が可能となる。
【００１５】
請求項５に記載の貯湯式給湯システムは、前記熱交換器から前記浴槽へ再給湯する前記配管に対し、前記湯を排水する排水弁を設け、前記制御手段は、前記湯漏れありと判定した場合、前記排水弁を開放して排水する事を特徴とする。
【００１６】
この発明により、もしタンク内の高温湯が浴槽と接続される配管に漏水（流入）した事と判定した場合は、配管上にある排水弁を開放し、高温湯を排水するので、浴槽に高温湯が貯まる事自体を未然に防ぐ事が可能となり、安全性をより高める事が可能となる。
【００１７】
請求項６に記載の貯湯式給湯システムは、報知手段を備え、前記制御手段は、前記湯漏れありと判定した場合、前記報知手段からその旨を音声にて報知する事を特徴とする。
【００１８】
この発明により、判定した内容をユーザーに音声にて伝達する事が可能となるので、タンクや熱交換器の故障や破損の状況を分かりやすくする事が出来る。
【００１９】
【発明の実施の形態】
（第一実施形態）
本発明の第一の実施形態にかかる貯湯式給湯システム１００を、その構成の概略を示した図１を用いて説明する。
【００２０】
貯湯式給湯システム１００は、湯を貯湯するタンク１と、タンク１内に配置され、浴槽１２内の湯とタンク１内の湯との間で熱交換する熱交換器２と、同じくタンク１内に配置され、タンク１内の湯の温度を計測すると共に、タンク１内の湯量も計測可能にする複数個のタンク内サーミスタ３と、浴槽１２と熱交換器２とを接続する配管１３、１４と、浴槽１２の湯を熱交換器２へ送る配管１３の途中に配設され、浴槽湯温度を検知する浴槽湯温度サーミスタ５、並びに浴槽１２内の湯を熱交換器２に送る循環ポンプ６と、熱交換器２内を循環して加熱した湯を浴槽１２へ送る配管１４の途中に配設され、追い焚き湯温度を検知する追い焚き湯サーミスタ４と、タンク１内の湯を沸かす加熱手段としてのヒートポンプユニット１１と、上述した追い焚き湯サーミスタ４、浴槽湯温度サーミスタ５、循環ポンプ６、そしてヒートポンプユニット１１とを制御する制御装置７と、制御装置７を操作する為に浴槽１２の設置場所（浴室）または台所などに設置される操作パネル８と、制御装置７が異常、つまりタンク１からの湯漏れありと判定した場合に、その旨をユーザーに報知するスピーカ９とから構成されている。
【００２１】
上述した各構成要素のうち、タンク内サーミスタ３、制御装置７、スピーカ９は、請求項で示す所のタンク内温度検知手段、制御手段、報知手段にそれぞれ相当する。
【００２２】
また、本実施形態では加熱手段としてヒートポンプユニット１１を例示するが、別段これに限るものではなく、電気ヒータや石油熱源器であっても良い。
【００２３】
まず、貯湯式給湯システム１００の通常の給湯、ならびに追い焚きの作動について説明する。タンク１は、タンク１の底部と接続する水道管５０からの給水圧力によって常に内部は満水状態である。
【００２４】
この満水状態のタンク１内の水は、タンク１に隣接して配置される、加熱手段であるヒートポンプユニット１１に配管１６を介して送られ、約７０〜９０℃の高温湯に加熱され、配管１７を介して、再びタンク１に貯湯される。
【００２５】
この配管１７を介して貯湯されたタンク１内の高温湯は、給湯管１５を介して浴槽１２などの各給湯場所に給湯される。
【００２６】
この時、タンク１内の高温湯は、高温のまま給湯されるのではなく、給湯管１５と連結する図示しない水道管からの給水と混合され、所定の温度（約４０℃）にまで低下させてから給湯される。
【００２７】
この高温湯を貯湯するタンク１内には、タンク１内の湯が高温湯（７０〜９０℃）である事を利用して、浴槽１２内の浴槽湯（約４０℃）を追い焚きする熱交換器２が配置されている。
【００２８】
浴槽１２内の湯を熱交換器２にて追い焚きするには、循環ポンプ６を作動させ、浴槽１２内の湯が配管１３を介して熱交換器２内を循環し、高温湯であるタンク１内の湯と熱交換する。この追い焚きによって、浴槽湯を所定の温度まで昇温させることができる。
【００２９】
上述した一連の動作が貯湯式給湯システム１００の給湯ならびに追い焚きの作動である。
【００３０】
次に本発明の要部について説明する。上述した通り、タンク１内には所定の圧力がかかっており常に満水状態であり蛇口１８を開けたとき、水道管５０よりかけられた圧力により給湯管１５へと湯が押し出される。
【００３１】
また、例えばタンク１の外郭に破損が生じたときも同様に水道管５０よりかけられた圧力により、その破損部位から貯湯している高温湯が漏れだす。
【００３２】
しかし、正常な給湯にしろ、タンク１の破損による漏水にしろ、タンク１から失われた湯の代わりに水道水が給水されるので、タンク１内の貯湯量は徐々に少なくなってくる。
【００３３】
給湯管１５から給湯される正常な給湯の場合だと、その給湯が終われば、タンク１内の貯湯熱量は、ヒートポンプユニット１１の加熱によって、増加するが、タンク１の破損による漏水ならば、破損箇所からの漏水と水道からの給水とが同時にいつまでも行われ、そのヒートポンプユニット１１の加熱では追いつかないので、タンク１内の貯湯熱量が増加する速さが遅い。
【００３４】
これを防ぐために本発明としては、タンク１内の水温を計測するタンク内サーミスタ３を図１に示すようにタンク１内に配置し、タンク１が貯湯する湯の温度を常時計測し、計測した貯湯温度情報を制御装置７に伝達するようにする。
【００３５】
ここでタンク内サーミスタ３は、請求項で示すタンク内温度検知手段に相当する。
【００３６】
タンク１の貯湯温度情報が伝達された制御装置７は、貯湯温度情報により計算されるタンク内貯湯熱量の変化量と、第一の所定の熱量とを比較し、もし第一の所定の熱量よりタンク１の貯湯温度情報により計算されるタンク内貯湯熱量の変化量の方が大きい場合は、タンク１から漏水している可能性がある事をスピーカ９から報知する。
【００３７】
ここで言う第一の所定の熱量とは、貯湯式給湯システム１００が、給湯、追い焚きをしていない時の自然放熱による平均的な熱量低下量に余裕度を加えたものである。
【００３８】
上述した制御装置７の作用を図２のフローチャートに示す。このフローチャートのステップＳ１にて、タンク１内の貯湯温度情報をタンク内サーミスタ３から受信したか否か判定する。
【００３９】
受信したならば、ステップＳ２にて、その貯湯温度情報によりタンク内貯湯熱量の一定時間内における変化量を計算する。
【００４０】
ステップＳ３にて、上記タンク内貯湯熱量の一定時間内における変化量と所定の熱量とを比較し、ステップＳ４にて、もし上記タンク内貯湯熱量の一定時間内における変化量の方が第一の所定の熱量よりも低ければ、ステップＳ５に進み、スピーカ９からタンク１から漏水している可能性がある事を報知する。
【００４１】
ここで、図２のフローチャートのステップＳ３の処理は、請求項で示す第一の比較手段に相当する。
【００４２】
また、上述したフローでは、タンク内サーミスタ３が計測した貯湯温度情報によるタンク内貯湯熱量の一定時間内における変化量を第一の所定の熱量と比較するに止まるが、更に精度を良くする為には、例えば、タンク内貯湯熱量の一定時間内における変化量と第一の所定の熱量とを比較する前に、タンク１から給湯、追い焚きをしているか否かを判定し、もし、給湯、追い焚きをしていないにも関わらず、タンク内貯湯熱量の一定時間内における変化量が、第一の所定の熱量より低い場合に、タンク１からの漏水の可能性がある旨を報知するフローでも良い。
【００４３】
上述した構成と作用とにより、タンク１で漏水が発生した可能性がある事をユーザーに報知する事ができ、これによりユーザーに速やかな漏水箇所の補修を促す事が出来る貯湯式給湯システムを提供する事が可能となる。
【００４４】
（第二実施形態）
上述した第一実施形態の貯湯式給湯システム１００では、タンク１の漏水を検知するものであったが、漏水箇所として、具体的にタンク１内に配置される熱交換器２も考えられる。
【００４５】
タンク１内はタンクの形状や容積にもよるが、平均的には通常、約１５０〜１７０ｋＰａの圧力が掛かっているので、熱交換器２にヒビや割れなどの破損が生じると、そこからタンク１内の高温湯が熱交換器２内に漏水（流入）してしまう。
【００４６】
熱交換器２に高温湯が漏水（流入）すると、配管１４を介して、浴槽１２に漏水（流入）してしまう。すると、その事を知らないユーザーは浴槽１２に溜まっている高温湯によって不快感を与える可能性がある。
【００４７】
この事を防ぐ為に、予め高温湯が浴槽１２に漏れてしまった事を報知する必要がある。
【００４８】
その為、図１の配管１４上に追い焚き湯サーミスタ４を配置し、熱交換器２を循環し終えた追い焚き湯の温度（通常なら約６０℃）を常時計測し、制御装置７に伝達するようにする。
【００４９】
ここで追い焚き湯サーミスタ４は請求項で示す追い焚き湯温度検知手段に相当する。
【００５０】
そして、制御装置７で、追い焚き湯温度情報と第二の所定の温度とを比較し、追い焚き湯温度情報の方が第二の所定の温度より高ければ、熱交換器２に破損が生じ、その破損箇所からタンク１内に高温湯が漏水（流入）した可能性がある旨、スピーカ９から報知する。
【００５１】
上述した制御装置７の作動を図３のフローチャートに示す。このフローチャートのステップＳ１１にて制御装置７にて、追い焚きサーミスタ４から追い焚き湯温度情報を受信したか否か判定し、受信したらステップＳ１２に進み、受信した追い焚き湯温度情報と第二の所定の温度とを比較し、ステップＳ１３にて、追い焚き温度情報の方が第二の所定の温度より高ければ、ステップＳ１４にて、スピーカ９から熱交換器２に破損が生じ、タンク１内の高温湯が流入した可能性がある旨を報知する。
【００５２】
このフローチャートのステップＳ１３は請求項で示す第二の比較手段に相当する。
【００５３】
上述した構成と作用とにより、浴槽１２にタンク１内の高温湯が漏れた場合は、その旨をユーザーに報知し、ユーザーが浴槽１２に漏れてしまった高温湯によって不快感を与える事を未然に防止する事が可能な貯湯式給湯システムを提供する事が出来る。
【００５４】
（第三実施形態）
上述した第二実施形態で示した貯湯式給湯システム１００では、制御装置７で比較演算する際の第二の所定の温度に、相当な幅（５〜１０℃）を持たせなければならない。
【００５５】
何故なら、追い焚き湯温度は必ずしも約６０℃と一定ではなく、ある程度の幅、（約５５℃〜６５℃）がある事からである。
【００５６】
その為、比較演算する第二の所定の温度にも相当な幅を持たせないと、少し熱めの追い焚き湯が熱交換器２から浴槽１２に再給湯されるたびに、誤ってスピーカ９から高温湯が浴槽１２に漏水した旨の報知がなされてしまう事になる。
【００５７】
しかし、相当な幅を持った所定の温度と比較すると言う事は、高温湯漏水を検知する精度が低いと言う事を意味する。
【００５８】
第二実施形態で示した高温湯漏水の検知精度を向上させ、熱交換器２のヒビや割れなどの破損箇所からの微少な漏水（流入）をも検知する為には、更に以下の構成を追加すれば良い。
【００５９】
すなわち、図１に示すように配管１３上に浴槽湯温度サーミスタ５を配置し、浴槽１２から熱交換器２へ送り出される浴槽湯の温度を測定するとともに、第二実施形態で説明した焚き湯サーミスタ４にて追い焚き湯温度をも測定し、双方の温度情報を制御装置７に伝達する。
【００６０】
ここで言う浴槽湯温度サーミスタ５は、請求項で示す浴槽湯温度検知手段に相当する。
【００６１】
そして、制御装置７にて、浴槽湯温度情報と追い焚き湯温度情報との差を演算し、第三の所定の温度と比較する。
【００６２】
この場合の第三の所定の温度とは、熱交換器２の最大熱交換可能温度である。この最大熱交換可能温度とは、熱交換器２が熱交換する事で上昇する最大の温度の事であり、熱交換器２の能力指数の１つである。
【００６３】
熱交換器２の最大熱交換可能温度と、演算した温度差とを比較し、もし、温度差の方が最大熱交換可能温度よりも大きい場合は、熱交換器２による熱交換（温度の上昇）ではない現象（または原因）で追い焚き湯の温度が上昇した事を示すので、熱交換器２にヒビや割れなどの破損が生じ、そこからタンク１内の高温湯が流入している可能性があると推定出来る。
【００６４】
上述した作用を図４のフローチャートに示す。図４のフローチャートのステップＳ２１にて、制御装置７にて、浴槽湯温度情報を受信したか否か判定し、受信したならば次にステップＳ２２にて、追い焚き湯温度情報を受信したか否か判定し、これも受信しているならば、ステップＳ２３にて、浴槽湯温度情報と追い焚き湯温度情報との温度差を演算し、ステップＳ２４にて、ステップＳ２３にて演算した温度差と第三の所定の温度とを比較し、ステップＳ２５にて温度差の方が第三の所定の温度より高い温度であるならば、ステップＳ２６にて、スピーカ９から、熱交換器２に破損が常時、その破損箇所からタンク１内の高温湯が流入している可能性がある旨を報知する。
【００６５】
ここで、ステップＳ２３は請求項で示す温度差演算手段に相当する。また、ステップＳ２５は、請求項で示す第三の比較手段に相当する。
【００６６】
上述した構成と作用とにより、熱交換器２に生じたヒビや割れなどから微少に流入する高温湯をも検知する事が可能な貯湯式給湯システムを提供する事が出来る。
【００６７】
（変形例）
上述した第二、第三実施形態において、図５に示すように浴槽１２から再給湯する配管１４に排水弁１０を設け、熱交換器２にヒビや割れなどの破損が生じ、そこから高温湯が流入した事を検知した場合は、同時に排水弁１０を開放し、浴槽１２に高温湯が漏水（流入）する前に排水するようにする事で、ユーザーが浴槽１２に溜まった高温湯によって不快感を与える可能性を更に低くする事が可能となる。ここで用いる排水弁１０は三方弁である事が好適である。
【図面の簡単な説明】
【図１】本発明の第一〜第三実施形態における貯湯式給湯システム１００の構成の概略を示す構成図である。
【図２】本発明の第一実施形態における貯湯式給湯システム１００の漏れ検出の作動を示すフローチャートである。
【図３】本発明の第二実施形態における貯湯式給湯システム１００の漏れ検出の作動を示すフローチャートである。
【図４】本発明の第三実施形態における貯湯式給湯システム１００の漏れ検出の作動を示すフローチャートである。
【図５】本発明の変形例における貯湯式給湯システム１００の構成の概略を示す構成図である。
【符号の説明】
１    タンク
２    熱交換器
３    タンク内サーミスタ（タンク内温度検知手段）
４    追い焚き湯サーミスタ（追い焚き湯温度検知手段）
５    浴槽湯サーミスタ（浴槽湯温度検知手段）
６    循環ポンプ
７    制御部（制御手段）
８    操作パネル
９    スピーカ（報知手段）
１０  排水弁
１１  ヒートポンプユニット
１２  浴槽
１３〜１４  配管
１５  給湯管
１６〜１７  配管
１８  蛇口
【図１】
2004308926.tif 000003
【図２】
2004308926.tif 000004
【図３】
2004308926.tif 000005
【図４】
2004308926.tif 000006
【図５】
2004308926.tif 000007